(57)【要約】【課題】ブリッジに水滴等が付着する場合でも、当該水滴の装置周辺への飛散を抑制することができる輻射パネル装置を提供する。【解決手段】横設されるブリッジ３と、ブリッジ３に垂下される複数のパネル４と、各パネル４に配設されてブリッジ上で連結される熱媒流通管５とを備え、該熱媒流通管５を熱源Ｈに連結して熱媒体を循環させることで各パネル４に輻射能を付与する輻射パネル装置１であって、ブリッジ３の下面３ｇは、その幅方向中央部である角部３ｈに向けて下り傾斜状となる一対の傾斜部３ｊ，３ｋを備え、パネル４の幅方向両端部５０ｃのうち一方の端部は、ブリッジ３の一方の傾斜部３ｊに対向し、幅方向両端部５０ｃのうち他方の端部は、ブリッジ３の他方の傾斜部３ｋに対向している。【選択図】図２
2014240715.tif 000002
【特許請求の範囲】
【請求項１】
横設されるブリッジと、前記ブリッジに垂下される複数のパネルと、各パネルに配設されて前記ブリッジ上で連結される熱媒流通管とを備え、該熱媒流通管を熱源に連結して熱媒体を循環させることで各パネルに輻射能を付与する輻射パネル装置であって、
前記ブリッジの下面部は、その幅方向中央部に向けて下り傾斜状となる一対の傾斜部を幅方向両側部に備え、
前記パネルは、幅方向の一方の端部を前記ブリッジの一方の傾斜部に対向させると共に他方の端部を前記他方の傾斜部に対向させた状態で前記ブリッジの下面部に取り付けられている、ことを特徴とする輻射パネル装置。
【請求項２】
前記ブリッジの下面部は、前記一対の傾斜部の下端部を連結してなるＶ字状に形成されていることを特徴とする請求項１に記載の輻射パネル装置。
【請求項３】
前記ブリッジは、前記一対の傾斜部を左右対称状とした等辺Ｖ字状に形成されている、ことを特徴とする請求項２に記載の輻射パネル装置。
【請求項４】
前記ブリッジは、
前記パネルを留めつける留め具が、前記傾斜部の上部側となるパネル幅方向両端側に設けられ、
前記熱媒流通管を挿通させる通過部がパネル幅方向中央部に設けられている、ことを特徴とする請求項１〜３のいずれか一項に記載の輻射パネル装置。
【請求項５】
前記ブリッジの上部は、カバー部材に覆われている、ことを特徴とする請求項１〜４のいずれか一項に記載の輻射パネル装置。
【請求項６】
前記ブリッジは、居室の天井に近接対向した状態で横設されており、
前記熱媒流通管は、前記パネルに向けて熱媒体を均等に供給するヘッダ部を備え、
前記ヘッダ部の少なくとも一部は、前記カバー部材を貫通して天井に向けて配設されている、ことを特徴とする請求項５に記載の輻射パネル装置。
【請求項７】
前記ブリッジは、支持部材を介して天井に固定されており、
前記支持部材には、無段又は多段にブリッジと天井との間隔を調整可能な調整機構が設けられている、ことを特徴とする請求項１〜６のいずれか一項に記載の輻射パネル装置。
【発明の詳細な説明】
【技術分野】
【０００１】
本発明は、輻射暖房や輻射冷房を行う輻射パネル装置に関する。
【背景技術】
【０００２】
従来、水などの液体状の熱媒体が流通可能な複数枚のパネルを備えて形成される輻射パネル装置が知られている。この種の輻射パネル装置は、複数のパネルと、別途設置される熱源との間で熱媒体を循環させることで各パネルに輻射能を持たせ、そのパネルによる輻射暖房又は輻射冷房によって居室等の空調を行うことが可能となっている。
【０００３】
例えば特許文献１には、熱媒体が流通する熱媒流通管がパネル内に収容された輻射パネル材を複数設け、輻射パネル材の熱媒流通管に熱媒体を流通させることで輻射パネル材から輻射熱を放射させる輻射パネル装置が開示されている。また、特許文献２には、ブリッジ全体を天井下方に露出させ、当該ブリッジの底板部をＶ字状に形成した輻射パネル装置が開示されている。
【先行技術文献】
【特許文献】
【０００４】
【特許文献１】特開２００６−１５３４３１号公報
【特許文献２】特開２０１０−２４３１２６号公報
【発明の概要】
【発明が解決しようとする課題】
【０００５】
しかしながら、特許文献２に記載したような輻射パネル装置においては、Ｖ字状に形成されたブリッジの底辺部のうち一方の傾斜部（第１傾斜部）のみがパネルの上端と対向し、他方の傾斜部（第２傾斜部）はパネルの上端からはみ出すように設けられているため、パネルに対してはあくまで片流れ状となっている。また、第１傾斜部の最下部、つまり第１傾斜部と第２傾斜部とが繋がる角部はパネルの一方の端部（幅方向）に配置されているため、第１傾斜部に付着した水滴は角部まで伝わる結果パネルの一方の端部まで到達し、そこから、パネル最下部（床周辺）に向けて落下する。パネルの端部においてパネル最下部に落下する水滴は、パネルの幅方向よりも外側に跳ねる場合があり、装置周辺を汚してしまう虞がある。
【０００６】
そこで、本願発明は、ブリッジに水滴等が付着する場合でも、装置周辺への水滴の飛散を抑制することができる輻射パネル装置を提供することを目的とする。
【課題を解決するための手段】
【０００７】
本発明は、横設されるブリッジと、ブリッジに垂下される複数のパネルと、各パネルに配設されてブリッジ上で連結される熱媒流通管とを備え、該熱媒流通管を熱源に連結して熱媒体を循環させることで各パネルに輻射能を付与する輻射パネル装置であって、ブリッジの下面部は、その幅方向中央部に向けて下り傾斜状となる一対の傾斜部を幅方向両側部に備え、パネルは、幅方向の一方の端部をブリッジの一方の傾斜部に対向させると共に他方の端部を他方の傾斜部に対向させた状態でブリッジの下面部に取り付けられている、ことを特徴とする。
【０００８】
本発明では、一対の傾斜部が繋がる角部が、少なくともブリッジ及びパネルの幅方向内側に位置するものとなる。よって、ブリッジ下面に付着した水滴が当該角部より落下する場合において、角部から幅方向外側までには距離があるため、落下中の水滴がパネルの幅方向外側へ移動することは抑制される。また、水滴が床や床上に設置された皿等に落下する場合でも、かかる距離によって、水滴のハネが幅方向外側まで飛散することを抑制できる。
【０００９】
また、ブリッジの下面部は、一対の傾斜部の下端部を連結してなるＶ字状に形成されていてもよい。これによれば、下面部の水滴の多くを当該一対の傾斜部の連結により形成される角部から落下させることが可能となり、水滴が落下する幅をブリッジの幅よりも狭くすることができる。
【００１０】
また、ブリッジは、一対の傾斜部を左右対称状とした等辺Ｖ字状に形成されていてもよい。これによれば、ブリッジ下面の水滴をブリッジ幅方向中央部から落下させることができ、床に設置された皿等で確実に受けることができる。
【００１１】
また、ブリッジは、パネルを留めつける留め具が傾斜部の上部側となるパネル幅方向両端側に設けられ、熱媒流通管を挿通させる通過部がパネル幅方向中央部に設けられていてもよい。これによれば、熱媒流通管と留め具とが離間して設けられることとなり、熱媒流通管の熱効果を受けて、留め具及び留め具周辺で結露が発生することを抑制でき、結露による留め具の錆の発生を抑制できる。なお、留め具が傾斜部の中央より上部に設けられているので、ブリッジ内側に結露が発生する場合でも、生じた水滴は傾斜に沿って下るものとなり、水滴が留め具周囲に長期に亘って存することを抑制できる。
【００１２】
ブリッジの上部は、カバー部材に覆われていてもよい。これによれば、ブリッジ上の熱媒流通管はカバー部材に覆われることになり、不測の衝撃や埃等の外部の影響を受け難くすることができる。また見栄えも向上する。
【００１３】
ブリッジは、居室の天井に近接対向した状態で横設されており、熱媒流通管は、パネルに向けて熱媒体を均等に供給するヘッダ部を備え、ヘッダ部の少なくとも一部は、カバー部材を貫通して天井に向けて配設されていてもよい。これによれば、天井裏を介して熱媒流通管を熱源に連結することができ、当該熱媒流通管の露出を抑制することができるものとなる。
【００１４】
ブリッジは、支持部材を介して天井に固定されており、支持部材には、無段又は多段にブリッジと天井との間隔を調整可能な調整機構が設けられていてもよい。これによれば、天井高を異にする様々な居室に対応することができる。
【発明の効果】
【００１５】
本発明によれば、ブリッジに水滴等が付着する場合でも、当該水滴の装置周辺への飛散を抑制することができる。
【図面の簡単な説明】
【００１６】
【図１】図１は、本発明の実施形態に係る輻射パネル装置を設置した状態を示す斜視図である。
【図２】図２は、輻射パネル装置のブリッジ周りを示す斜視図である。
【図３】図３は、輻射パネル装置の平面図である。
【図４】図４は、輻射パネル装置の側面図である。
【図５】図５は、ブリッジの上部を示す斜視図である。
【図６】図６は、図４のＶＩ―ＶＩ線に沿った断面図である。
【図７】図７は、図４のＶＩＩ―ＶＩＩ線に沿った断面図である。
【図８】図８は、各直列配管系統を示す斜視図である。
【図９】図９は、各直列配管系統を示す斜視図である。
【図１０】図１０は、ヘッダ部を示す図であり、（ａ）はヘッダ部の平面図、（ｂ）はヘッダ部の側面図である。
【発明を実施するための形態】
【００１７】
以下、添付図面を参照して、本発明の好適な実施形態について詳細に説明する。
【００１８】
図１に示されるように、本実施形態に係る輻射パネル装置１は、例えば建物の居室の一角に設置されて輻射暖房あるいは輻射冷房を行う装置である。輻射パネル装置１は、長尺状の扁平な複数のパネル４と、パネル４のそれぞれに配設される熱媒流通管５（図２参照）とを備えており、各熱媒流通管５は互いに接続され、更に熱源Ｈ（図１０参照）とも配管１００ａ，１００ｂを通じて連結されて熱媒体の循環ラインを形成する。熱媒体の循環によってパネル４に輻射能が付与されることで居室の輻射暖房が可能になり、熱媒体の温度が居室の室温よりも低い場合には、居室の輻射冷房が可能になる。
【００１９】
輻射パネル装置１は、上述した通り、複数のパネル４及び熱媒流通管５と、居室の天井板Ｒと床板Ｆとの間で鉛直方向に立設された一対の支柱２Ａ，２Ｂと、一対の支柱２Ａ，２Ｂの上端側に架設され、複数のパネル４を保持するブリッジ３と、パネル４の下方且つ床板Ｆ上に設けられて結露水を受け止める結露水受け部材６と、を備えている。
【００２０】
支柱２Ａ，２Ｂは、床板Ｆから天井板Ｒまで届く長さを有する支柱本体８と、支柱本体８の下端に外嵌して床板Ｆに固定される柱脚部材９と、を備えている。また、結露水受け部材６は、図示しない排水管に連通しており、パネル４に沿って流下した結露水は、結露水受け部材６に集められ、排水管を通じて外部に排出される。
【００２１】
ブリッジ３は、立てた状態で垂下した複数のパネル４を所定の間隔で横方向に並べた状態で保持する。なお、所定の間隔やパネル４の枚数等は、居室の広さや高さ、あるいは求められる性能に応じて適宜に決定できる。なお、ブリッジ３は、「上枠」ともいう。
【００２２】
図２、及び図５に示されるように、ブリッジ３は、パネル４の厚さ方向である水平方向Ｄｈに延在する長尺状の支持プレート３ａと、支持プレート３ａの上面３ｆに立設された一対のリブ壁３ｂとを備えている。一対のリブ壁３ｂは、支持プレート３ａの長手方向に沿って延在しており、互いに対向すべく、平行に配置されている。一対のリブ壁３ｂの上端には、カバー部材６０に係合する爪３ｐが設けられている。ブリッジ３は、アルミニウムやステンレス等の金属を押出成形することによって形成されている。
【００２３】
図２、図６、及び図７に示されるように、支持プレート３ａは、断面Ｖ字状をなし、角部（幅方向中央部）３ｈに向けて下面（下面部）３ｇが下り傾斜状となる一対の傾斜部３ｊ，３ｋを、その幅方向両側部に備えている。角部３ｈは、一対の傾斜部３ｊ，３ｋの下端部が連結されることにより形成されている。一対の傾斜部３ｊ，３ｋの幅方向の長さは同一であり、また、床板Ｆ及び天井板Ｒと略平行な水平面からの傾斜角度は同一である。つまり、支持プレート３ａは、一対の傾斜部３ｊ，３ｋを左右対称状とした等辺Ｖ字状に形成されている。なお、一対の傾斜部３ｊ，３ｋの傾斜角度は１５〜４５度であり、より好ましくは３０度前後である。
【００２４】
支持プレート３ａの一対の傾斜部３ｊ，３ｋは、アルミニウム等の金属を押し出し成形することにより形成された１枚の長方形の鋼板を、更に折り曲げ加工等することによって形成される。具体的には、鋼板の幅方向中央部（角部３ｈ）を境（折り線）にして折り曲げることにより、一対の傾斜部３ｊ，３ｋが形成されている。
【００２５】
また、支持プレート３ａは、一対のリブ壁３ｂに挟まれた内側の中央部３ｄと、各リブ壁３ｂよりも外側に張り出した一対の鍔部３ｅとを有する。中央部３ｄの各パネル４に対向するそれぞれの位置には、角部３ｈを切り欠くように貫通する貫通孔（通過部）３ｃが形成されており、また、一対のリブ壁３ｂの近傍には、パネル４を留めつけるボルト（留め具）７８が挿入される一対の締付孔３ｍ（図２参照）が設けられている。貫通孔３ｃには、熱媒流通管５が通される。
【００２６】
また、支持プレート３ａの両端には、蓋部７５（図５参照）をネジ止めするためのネジ受け部３ｘが設けられている。なお、支持プレート３ａは押し出し成形で製造されることもあり、ネジ受け部３ｘは、支持プレート３ａの長手方向全域に亘って設けられている。
【００２７】
図２、図３、及び図７に示されるように、パネル４は、鉛直方向に延在し、断面が扁平に形成された長尺状の筒状部材４２と、少なくとも筒状部材４２の上端面５０を塞ぎ、更に支持プレート３ａとの間で狭持されるキャップ４１とを備える。筒状部材４２は、例えば金属を押出成形することで形成される。筒状部材４２の材料は特に限定されないが、アルミニウム製とすると軽量化が実現でき、好ましい。
【００２８】
筒状部材４２の上端面５０は、ブリッジ３の支持プレート３ａに対応すべく、略Ｖ字状にカットされており、その幅方向両端部５０ｃを上端としパネル角部（幅方向中央部）５０ｄに向けて下り傾斜状となる一対のパネル傾斜部５０ａ，５０ｂを備えている。筒状部材４２の幅方向両端部５０ｃのうち一方の端部は、ブリッジ３の一方の傾斜部３ｊに対向し、幅方向両端部５０ｃのうち他方の端部は、ブリッジ３の他方の傾斜部３ｋに対向している。一対のパネル傾斜部５０ａ，５０ｂの幅方向の長さは同一であり、また、床板Ｆ及び天井板Ｒと平行な水平面からの傾斜角度は同一である。なお、一対のパネル傾斜部５０ａ，５０ｂの傾斜角度はブリッジ３の傾斜部３ｊ，３ｋの傾斜角度と同じく、１５〜４５度であり、より好ましくは３０度前後である。
【００２９】
筒状部材４２の上端面５０には、ボルト（留め具）７８が螺合される一対の締付孔５０ｅが設けられている。また、一対の締付孔５０ｅよりも内側の領域には、熱媒流通管５が収容される。
【００３０】
筒状部材４２の外面には、外気に対する伝熱面積を広げるために波状に突き出た複数のフィン５０ｉが設けられている。複数のフィン５０ｉは、筒状部材４２の長手方向、つまり筒状部材４２を立てた状態での鉛直方向に延在しており、冷房時に筒状部材４２に付着する結露水を結露水受け部材６に向けて下方へ案内するという機能も有する。
【００３１】
筒状部材４２内に収容される熱媒流通管５は略Ｕ字状であり、筒状部材４２の下端側で湾曲して折り返されている。熱媒流通管５の熱媒体が下方に向けて流れる通路を形成する部分は往路側収容部５ａであり、熱媒体が上方に向けて流れる通路を形成する部分は復路側収容部５ｂであり、往路側収容部５ａと復路側収容部５ｂとを連絡する部位が折り返し部５ｇである。
【００３２】
往路側収容部５ａ及び復路側収容部５ｂは、筒状部材４２の上端側では筒状部材４２の幅方向中央寄りにまとめられている。中央寄りにまとめられた熱媒流通管５は、筒状部材４２の上端面５０に取り付けられたキャップ４１、及び、ブリッジ３の支持プレート３ａを貫通してブリッジ３の上方に突出している。熱媒流通管５においてブリッジ３の上面３ｆから突出した部位は延在部５ｃ，５ｄであり、特に、往路側収容部５ａに連絡する側は往路側延在部５ｃであり、復路側収容部５ｂに連絡する側は復路側延在部５ｄである。
【００３３】
熱媒流通管５は、例えば、内径が７ｍｍ程度の樹脂製管からなる。このように樹脂製の熱媒流通管５を用いることにより、屈曲性が良く、小半径に曲げることができ、熱媒流通管５同士の加工、筒状部材４２への組み付け作業を容易に行える。なお、樹脂製管としては、架橋ポリエチレン管や、ポリブデン又はポリオレフィン系の樹脂材料を採用することができる。
【００３４】
キャップ４１は、筒状部材４２の上端面５０に被さるプレートであり、側面視で、支持プレート３ａに対応すべく略Ｖ字状に屈曲している。キャップ４１は、ブリッジ３の支持プレート３ａとパネル４の上端面５０との間に配置され、ボルト７８で締結されることにより、支持プレート３ａとパネル４とに狭持される。
【００３５】
キャップ４１について更に詳しく説明する。キャップ４１は、その幅方向両端部４１ｃを上端としキャップ角部（幅方向中央部）４１ｄに向けて下り傾斜状となる一対のキャップ傾斜部４１ａ，４１ｂを備えている。キャップ４１は、その幅方向両端部４１ｃのうち一方の端部がブリッジ３の一方の傾斜部３ｊに対向し、幅方向両端部４１ｃのうち他方の端部がブリッジ３の他方の傾斜部３ｋに対向している。一対のキャップ傾斜部４１ａ，４１ｂの傾斜角度は、ブリッジ３の一対の傾斜部３ｊ，３ｋ、及び、筒状部材４２の一対のパネル傾斜部５０ａ，５０ｂの傾斜角度と略一致しており、外形は、筒状部材４２の外周に倣っている。
【００３６】
キャップ４１には、キャップ角部４１ｄを切り欠くように貫通する貫通孔４１ｆが設けられており、その貫通孔４１ｆには熱媒流通管５が通される。さらに、キャップ４１の幅方向両端部４１ｃ近傍には、ボルト７８が挿入される一対の締付孔４１ｇが設けられている。
【００３７】
また、キャップ４１は、例えばＡＳＡ（アクリロニトリル-スチレン-アクリレート）やＡＥＳ（アクリロニトリル-エチレンプロピレンジエン-スチレン）などを主成分とする樹脂から構成されており、筒状部材４２とブリッジ３との間の熱伝達を抑制する機能を有している。
【００３８】
次に、ブリッジ３の上部構造について図４、図５、及び図６を参照して説明する。ブリッジ３の上部は、カバー部材６０に覆われ、支持部材７０を介して天井板Ｒに固定されている。支持部材７０は、ブリッジ３と天井板Ｒとの間隔を調整する調整機構としても機能し、本実施形態では、多段の調整機構を例示するが、無段の調整機構とすることもできる。
【００３９】
支持部材７０は、天井板Ｒに固定される天井取り付け部材７１と、ブリッジ３に固定されるブリッジ取り付け部材７２とを有する。天井取り付け部材７１は、天井板Ｒに当接してネジ止めされる平板部７１ａと、平板部７１ａから鉛直下方に延びる矩形板状の調整部７１ｅとを有している。調整部７１ｅには、高さ調整の為に鉛直方向に沿って並ぶ３つの調整孔７１ｆが設けられている。なお、調整孔７１ｆは、微調整可能となるように上下に長い長孔となっている。
【００４０】
ブリッジ取り付け部材７２は、支持プレート３ａの上面３ｆ側に配置され、ボルト７４ａによって支持プレート３ａに固定されるベース板部７２ａと、ベース板部７２ａから立設され、カバー部材６０を貫通して突き出す矩形板状の調整部７２ｃとを有する。調整部７２ｃには、高さ調整の為に鉛直方向に並ぶ３つの調整孔７２ｄが設けられている。
【００４１】
支持部材７０によって天井板Ｒまでの高さを調整する際には、天井取り付け部材７１の調整部７１ｅの調整孔７１ｆ、及び、ブリッジ取り付け部材７２の調整部７２ｃの調整孔７２ｄを適宜に選択して互いに位置合わせすることで高さを調整し、位置合わせされた調整孔７１ｆ，７２ｄにボルト７３ａの軸部を差し込みナット７３ｃで締結することで固定する。
【００４２】
ブリッジ３の上面３ｆには、傾斜部３ｊ，３ｋの傾斜角度を吸収して、ブリッジ取り付け部材７２のベース板部７２ａを安定させる断面略三角形状の一対のスペーサ７４ｂが配置されている。ベース板部７２ａは一対のスペーサ７４ｂ上に載置され、ボルト７４ａによってブリッジ３に固定される。なお、ボルト７４ａはブリッジ３を貫通し、ブリッジ３の下方に配置された支柱２Ａの支柱本体８に螺合される。
【００４３】
ブリッジ３の上面３ｆを覆うカバー部材６０は、ブリッジ３の長手方向に沿って延びており、天井板Ｒと水平な矩形板状の屋根部６１と、天井板Ｒと垂直な矩形板状の一対の立ち上がり部６２と、屋根部６１及び立ち上がり部６２を連結する矩形板状の一対の連結部６３とを有している。なお、カバー部材６０の内部には断熱材（図示せず）が設けられており、ブリッジ３の上面３ｆにおいて熱媒体が温度変化することを抑制している。
【００４４】
屋根部６１には、ブリッジ取り付け部材７２の調整部７２ｃが挿入される挿入孔６１ａが形成されている。屋根部６１には、熱媒流通管５に連結される配管１００ａ，１００ｂが貫通する貫通孔６１ｘが設けられている。配管１００ａ，１００ｂは、熱源Ｈ（図１０参照）及び熱媒流通管５に接続されており、各パネル４に向けて熱媒体が供給される。なお、支持部材７０及び配管１００ａ，１００ｂを挟み込むようにして、カバー部材６０と天井板Ｒとの間には配線カバー７７が立設されている。配線カバー７７が立設されていることにより、支持部材７０及び配管１００ａ，１００ｂが露出し難くなり、不測の衝撃や埃等の外部の影響が抑制されるとともに、美観が向上する。
【００４５】
立ち上がり部６２の下端には、リブ壁３ｂの爪３ｐに係合する爪６２ａが形成されている。立ち上がり部６２の爪６２ａとリブ壁３ｂの爪３ｐとが係合することによって、カバー部材６０は上方に抜け難くなる。また、立ち上がり部６２の上部には内方に突き出た突出片６２ｂが設けられており、係合状態において、突出片６２ｂがリブ壁３ｂの上端と接しているため、突出片６２ｂと爪６２ａとでリブ壁３ｂの爪３ｐを挟み込むこととなり、カバー部材６０のブリッジ３への固定状態を強固にできる。
【００４６】
なお、カバー部材６０とブリッジ３とは、上述したように、立ち上がり部６２の爪６２ａとリブ壁３ｂの爪３ｐとが係合することにより固定されるところ、ブリッジ３の鍔部３ｅはカバー部材６０の幅方向両端である立ち上がり部６２よりも外側に張り出すこととなる。鍔部３ｅが外側に張り出していることにより、ブリッジ３上部の構成が視認し難くなり、見栄えの向上が図られる。
【００４７】
次に、複数の筒状部材４２に収容された各熱媒流通管５の接続、及び熱媒流通管５の接続によって形成される熱媒体の通過経路について、図８及び図９を参照して説明する。なお、図８及び図９では、ブリッジ３を省略して記載しており、また、説明の便宜のため、パネル４の上端にＶ字状のパネル傾斜部５０ａ，５０ｂを描く代わりに平坦面を模式的に描いている。
【００４８】
パネル４内に収容された熱媒流通管５は、ブリッジ３の上方に突き出た往路側延在部５ｃ及び復路側延在部５ｄを有し、それぞれブリッジ３の上方でブリッジ３の長手方向に向けて湾曲している。そして、復路側延在部５ｄは、他のパネル４内に収容された他の熱媒流通管５の往路側延在部５ｃに接続され、往路側延在部５ｃは、他のパネル４内に収容された他の熱媒流通管５の復路側延在部５ｄに接続されている。その結果、複数の熱媒流通管５同士が、復路側延在部５ｄと往路側延在部５ｃとの接続によって直列につながり、直列配管系統Ｌ１，Ｌ２，Ｌ３，Ｌ４が形成されている。
【００４９】
直列配管系統Ｌ１，Ｌ２，Ｌ３，Ｌ４のうち直列配管系統Ｌ１を代表して説明すると、左から一枚目の筒状部材４２から突き出す往路側延在部５ｃ（図８（ａ）参照）は、熱媒体が導入される上流側のヘッダ部２５０の並列分配部２５２に設けられた枝管２５２ａに接続されている。往路側延在部５ｃは、筒状部材４２内に収容された略Ｕ字状の流路を介し、復路側延在部５ｄ（図８（ｂ）参照）として筒状部材４２から突き出す。復路側延在部５ｄは、左から五枚目の筒状部材４２から突き出す往路側延在部５ｃに接続され、略Ｕ字状の流路を介し、復路側延在部５ｄとして筒状部材４２から突き出す。この復路側延在部５ｄは、右から四枚目の筒状部材４２から突き出す往路側延在部５ｃに接続され、略Ｕ字状の流路を介し、復路側延在部５ｄ（図９（ｂ）参照）として筒状部材４２から突き出す。この復路側延在部５ｄは、熱媒体が排出される下流側のヘッダ部２５１の並列合流部２５３に設けられた枝管２５３ａに接続されている。
【００５０】
他の直列配管系統Ｌ２〜Ｌ４も直列配管系統Ｌ１と同様に、上流側のヘッダ部２５０の並列分配部２５２に設けられた枝管２５２ａに接続されており、また、下流側のヘッダ部２５１の並列合流部２５３に設けられた枝管２５３ａに接続されている。
【００５１】
ヘッダ部２５０，２５１について図１０を参照して詳細に説明する。なお、ヘッダ部２５０及びヘッダ部２５１は実質的に同じ構造であるため、重複する説明については、ヘッダ部２５０の構造で説明を行い、ヘッダ部２５１の説明を省略する。
【００５２】
図１０（ａ）に示されるように、ヘッダ部２５０は、並列分配部２５２と、並列分配部２５２に接続されるジョイント部２５４と、熱源Ｈにつながる配管１００ａに接続されるジョイント部２５５と、ジョイント部２５４及びジョイント部２５５を連絡するヘッダ部配管２５６と、を有している。
【００５３】
並列分配部２５２には、ジョイント部２５４を接続するための筒状のジョイント管２５２ｇと、ジョイント管２５２ｇを介して熱媒体を受け入れる本体管２５２ｆと、本体管２５２ｆから分岐し、本体管２５２ｆに導入された熱媒体を各直列配管系統Ｌ１〜Ｌ４に分配する複数の枝管２５２ａと、が設けられている。
【００５４】
図１０（ｂ）に示されるように、ヘッダ部２５０は、配管１００ａを介して熱源Ｈと接続されており、熱源Ｈから送り込まれた熱媒体を各直列配管系統Ｌ１〜Ｌ４に均等に分配する。また、ヘッダ部２５１は、配管１００ｂを介して熱源Ｈと接続されており、各直列配管系統Ｌ１〜Ｌ４から排出された熱媒体を集約させ、熱源Ｈまで戻す。
【００５５】
ヘッダ部２５０のジョイント部２５５は、ジョイント管２５５ｂを介して配管１００ａに接続される。配管１００ａは、天井板Ｒから天井裏を介して熱源Ｈに接続されている。また、ジョイント管２５５ｂは、カバー部材６０を貫通して天井板Ｒに向けて延びている。同様に、ヘッダ部２５１のジョイント部２５５は、ジョイント管２５５ｂを介して配管１００ｂに接続される。配管１００ｂは、天井板Ｒから天井裏を介して熱源Ｈに接続されている。
【００５６】
以上のとおり、本実施形態に係る輻射パネル装置１では、図２及び図７に示されるように、支柱２Ａ，２Ｂ間において、居室等の天井に近接対向した状態で横設されるブリッジ３が、その幅方向両端部３ｉを上端とし角部（幅方向中央部）３ｈに向けて下り傾斜状となる一対の傾斜部３ｊ，３ｋを備えている。その結果、熱媒体の流通等に起因してブリッジ３の下面３ｇに付着した水滴は、角部３ｈに集められた後に、筒状部材４２のフィン５０ｉ等を伝って鉛直下方向に落下することとなる。すなわち、鉛直下方向に落下する水滴は、筒状部材４２の幅方向中央部であるパネル角部５０ｄ近傍を伝って落下することとなる。パネル角部５０ｄから幅方向両端部５０ｃには距離があるため、水滴のハネが結露水受け部材６が設けられた幅を超えて幅方向外側まで飛散することを抑制できる。以上より、ブリッジ３に水滴等が付着する場合でも、当該水滴が装置周辺へ飛散することを抑制することができる。
【００５７】
また、本実施形態に係る輻射パネル装置１の、ブリッジ３は、一対の傾斜部３ｊ，３ｋによりＶ字状が形成されている。これにより、下面３ｇに付着する水滴（結露水）の多くを一対の傾斜部３ｊ，３ｋの連結により形成される角部３ｈから落下させることが可能となる。よって、角部３ｈが尖った形ではなく所定の幅を有するような場合と比較して、水滴が落下するポイントの幅をより狭くすることができる。なお、輻射パネル装置１が居室の壁面に沿って設けられる場合、当該壁面寄りに角部３ｈを設けることで、居室側への水滴のハネを低減することができる。
【００５８】
また、本実施形態に係る輻射パネル装置１では、一対の傾斜部３ｊ，３ｋが左右対称状とした等辺Ｖ字状に形成されているため、ブリッジ３の下面３ｇの水滴をブリッジ３の幅方向中央部から落下させることができ、結露水受け部材６で確実に受けることができる。また、筒状部材４２も左右対称状となるので、両側面からの外観が同じものとなり、居室中央部の間仕切りとして用いても違和感が少ないものとなる。なお、一対の傾斜部３ｊ，３ｋを等辺Ｖ字状とすることで、限られたスペースであっても、一対の傾斜部３ｊ，３ｋの傾斜角度を十分にとることができる。
【００５９】
また、本実施形態に係る輻射パネル装置１では、筒状部材４２を留めつけるボルト（留め具）７８が挿入される締付孔３ｍが、熱媒流通管５が通される貫通孔３ｃよりも上部（幅方向両端部５０ｃ）側に設けられている。熱媒流通管５の熱効果によって貫通孔３ｃ周辺で発生した水滴は、傾斜に沿って下ることとなり、ボルト７８周辺には存することとならない。このため、ボルト７８等に錆が発生することを抑制できる。
【００６０】
また、本実施形態に係る輻射パネル装置１では、ブリッジ３の上部はカバー部材６０により覆われ、更に長手方向の両端は蓋部７５で塞がれているため、不測の衝撃や埃等の外部の影響を受け難くすることができる。また見栄えも向上する。
【００６１】
また、本実施形態に係る輻射パネル装置１では、各筒状部材４２に向けて熱媒体を均等に供給するヘッダ部２５０を備えており、ヘッダ部２５０の一部であるジョイント管２５５ｂが、図１０に示されるように、カバー部材６０を貫通して天井板Ｒに向けて配設されていることにより、天井裏を介して熱媒流通管５を熱源Ｈに連結することができ、当該熱媒流通管５の露出を抑制することができるものとなる。なお、カバー部材６０を貫通する部分は、ヘッダ部２５０のその他の部分であってもよい。
【００６２】
また、本実施形態に係る輻射パネル装置１では、ブリッジ３は、支持部材７０を介して天井板Ｒに固定されている。その結果、天井高を異にする様々な居室に対応することができる。なお、ブリッジ３は、支持部材７０による天井板Ｒへの固定とともに、床板Ｆに固定される柱脚部材９（図２参照）に支持されるが、上述した支持部材７０による位置調整ができない場合には、柱脚部材９側で位置調整を行う必要があり、柱脚部材９の切断等が必要となるが、本実施形態に係る輻射パネル装置１ではそのような手間を回避することができる。
【００６３】
以上、本発明について各実施形態に基づいて説明したが、本発明は、上記の各実施形態に限定されるものではない。本発明に係る輻射パネル装置は、各請求項に記載した要旨を変更しないように実施形態に係る輻射パネル装置を変形し、又は他のものに適用したものであってもよい。
【００６４】
例えば、ブリッジ３は、上面３ｆ及び下面３ｇともに傾斜している態様を例示したが、下面のみが傾斜している構成であってもよい。また、ブリッジ３の断面形状としては、上記の等辺Ｖ字状やいずれかに角部３ｈが寄っている形状のみならず、一対の傾斜部３ｊ、３ｋの間に水平部を設け、これにより複数の角部を有する構成を採用することも可能である。また、鍔部３ｅは、必ずしも一対の傾斜部３ｊ，３ｋと同様に傾斜している必要はなく、水平方向に張り出していてもよい。この場合、水平方向に張り出した鍔部を天井に埋め込むことが可能となるため、ブリッジ３の上部を天井裏に配置することができる。
【００６５】
また、落下する水滴を受ける部材は、排水管に連通した部材である結露水受け部材６であるとして説明したが、必ずしもこれに限定されず、スポンジ等であってもよい。また、天井取り付け部材７１及びブリッジ取り付け部材７２による位置（高さ）調整は、調整孔７１ｆ，７２ｄの組合せを変えることにより行う（多段の位置調整を行う）として説明したが、締付孔の組合せではなく、両部材をスライドさせて任意の位置で固定する無段の位置調整を行ってもよい。
【符号の説明】
【００６６】
１…輻射パネル装置、３…ブリッジ、３ｇ…ブリッジの下面、３ｈ…ブリッジの角部、３ｊ，３ｋ…傾斜部、４…パネル、５…熱媒流通管、６０…カバー部材、７０…調整機構、７８…ボルト（留め具）、２５０，２５１…ヘッダ部、Ｒ…天井板。
【図１】
2014240715.tif 000003
【図２】
2014240715.tif 000004
【図３】
2014240715.tif 000005
【図４】
2014240715.tif 000006
【図５】
2014240715.tif 000007
【図６】
2014240715.tif 000008
【図７】
2014240715.tif 000009
【図８】
2014240715.tif 000010
【図９】
2014240715.tif 000011
【図１０】
2014240715.tif 000012